(57)【要約】【課題】  コミュニティ・サービスの方法を提供する。【解決手段】  この方法は、予想される災害を予期して緊急援助物資を保有する構造体のネットワークを設立すること；上記構造体に電子表示装置を備え付けること；実際の災害のときに、上記電子表示装置上に緊急メッセージを表示することを具備してなる。【選択図】図１
2009503688.tif 000002
【特許請求の範囲】
【請求項１】
予想される災害を予期して緊急援助物質を保有する構造体のネットワークを設立すること；
上記構造体に電子表示装置を備え付けること；
実際の災害のときに、上記電子表示装置上に緊急メッセージを表示すること；
を具備してなることを特徴とするコミュニティ・サービスの方法。
【請求項２】
上記電子表示装置のための緊急電源を上記構造体に備えることを含む請求項１記載の方法。
【請求項３】
上記電子表示装置に対し、遠隔制御プログラミングを行うようにした請求項１記載の方法。
【請求項４】
上記電子表示装置上に黄色警告（Ａｍｂｅｒ  Ａｌｅｒｔ）メッセージを表示することを含む請求項１記載の方法。
【請求項５】
上記電子表示装置上に公共サービスメッセージを表示することを含む請求項１記載の方法。
【請求項６】
上記電子表示装置上に広告を表示することを含む請求項１記載の方法。
【請求項７】
広告表示から収入を発生させることを含む請求項６記載の方法。
【請求項８】
上記収入を災害援助組織と分け合うことを含む請求項７記載の方法。
【請求項９】
上記構造体に無線通信機を備えさせることを含む請求項１記載の方法。
【請求項１０】
上記無線通信機に公共サービスメッセージを送信することを含む請求項９記載の方法。
【請求項１１】
上記無線通信機に黄色警告メッセージを送信することを含む請求項９記載の方法。
【請求項１２】
上記無線通信機に広告を送信することを含む請求項９記載の方法。
【請求項１３】
予想される災害を予期して緊急援助物質を保有する構造体のネットワークを設立すること；
上記構造体に無線通信機を備え付けること；
実際の災害のときに、上記無線通信機を通して緊急メッセージを送信すること；
を具備してなることを特徴とするコミュニティ・サービスの方法。
【請求項１４】
上記無線通信機のための緊急電源を上記構造体に備えることを含む請求項１３記載の方法。
【請求項１５】
上記無線通信機に対し、遠隔制御プログラミングを行うようにした請求項１３記載の方法。
【請求項１６】
上記無線通信機に公共サービスメッセージを送信することを含む請求項１５記載の方法。
【請求項１７】
上記無線通信機に黄色警告（Ａｍｂｅｒ  Ａｌｅｒｔ）メッセージを送信することを含む請求項１５記載の方法。
【請求項１８】
上記無線通信機に広告を送信することを含む請求項１５記載の方法。
【請求項１９】
囲いおよびアクセス用ドアを有するハウジングと；
上記囲い内に保持された緊急援助物質と；
上記ハウジングに装着され、災害時に緊急援助情報を放送するための無線通信機と；
この無線通信機のための緊急電源と；
を具備してなることを特徴とする緊急援助構造体。
【請求項２０】
囲いおよびアクセス用ドアを有するハウジングと；
上記囲い内に保持された緊急援助物質と；
上記ハウジングに装着され、災害時に緊急援助情報を放送するための電子表示装置と；
この電子表示装置のための緊急電源と；
を具備してなることを特徴とする緊急援助構造体。
【発明の詳細な説明】
【技術分野】
【０００１】
本願はアメリカ特許仮出願第６０／７０２，４７６号（２００５年７月２６日出願）、同第７２７，１３６号（２００５年１０月１４日出願）及び同第６０／７８２，９５１（２００６年３月１６日出願）の利益を主張するものである。
本発明は公共サービスおよび災害救助の分野に関する。
【背景技術】
【０００２】
最近の事件、特に、ハリケーン、カトリーナによるニューオリンズの壊滅的破壊は、“危険にある”人口中心部内およびその周辺に、緊急救助備品貯蔵施設の設立の必要性を痛感させた。重要なことは、災害が去った後に、道路が部分的に閉鎖され、あるいは通行不可能となるかも知れないということである。これは、援助を必要としている人々が緊急物資を手に入れるのを著しく制限したり、妨害したりするだけでなく、救助機関がそれらの人々に緊急物資を効率的に搬送するのを著しく制限したり、妨害したりすることになる。結果として、災害を予想して、地域レベルで救助物資を所定場所に配置させることが必要なことは明らかである。そうすることにより、災害が発生した場合に、直ちに救助物資を人々の手に分配することが可能となる。
【特許文献１】米国特許Ｎｏ．６，２７９，２８７
【特許文献２】米国特許Ｎｏ．５，３７３，６７８
【特許文献３】米国特許Ｎｏ．６，１１９，４２７
【発明の開示】
【発明が解決しようとする課題】
【０００３】
本発明は、コミュニティ又は公共サービスの方法を提供することを目的とする。
【課題を解決するための手段】
【０００４】
その方法は、予想される災害を予期して緊急援助物資を保有する構造体のネットワークを設立すること、上記構造体に電子表示装置を備え付けること、実際の災害のときに、上記電子表示装置上に緊急メッセージを表示することを具備してなる。この方法は更に、上記電子表示装置のための緊急電源を上記構造体に備え付けることを含む。この方法は更に、上記電子表示装置に対し、遠隔制御プログラミングを行うことを含む。この方法は更に、上記電子表示装置上に黄色警告（Ａｍｂｅｒ  Ａｌｅｒｔ）又は他の公共サービスメッセージを表示することを含むものであってもよい。
【０００５】
更に、この方法は、この電子表示装置上に広告することを含み、この広告表示から収入を発生させるものでもよい。この方法は更に、その収入を災害援助組織と分け合うことを含むものでもよい。更に、この方法は、上記構造体に無線通信機を備えさせること、および公共サービスメッセージあるいは黄色警告メッセージを無線通信機に送信することを含むものであってもよい。この方法は更に、を無線通信機に広告を送信することを含むものであってもよい。
【０００６】
本発明の他の形態として、コミュニティ・サービスの方法は、予想される災害を予期して緊急援助物資を保有する構造体のネットワークを設立すること、上記構造体に無線通信機を備え付けること、実際の災害のときに、上記無線通信機を通して緊急メッセージを送信することを具備してなる。囲いおよびアクセス用ドアを有するハウジングと、このハウジングに装着され、災害時に緊急援助情報を放送するための無線通信機と、この無線通信機のための緊急電源とを具備してなる緊急援助構造体を含むものであってもよい。更に、この緊急援助構造体は、囲いおよびアクセス用ドアを有するハウジングと、このハウジングに装着され、災害時に緊急援助情報を放送するための電子表示装置と、この電子表示装置のための緊急電源とを具備してなるものであってもよい。緊急援助物資は上記ハウジング内に貯蔵、保持される。この援助物資は上記構造体内に長期に亘って貯蔵させてもよい。その他、上記構造体内を空にしておいて、例えば、ハリケーンなどの災害が迫っているときにのみ、援助物資を上記構造体内に移動させるようにしてもよい。
【０００７】
以下に、本発明を詳述するが、これは単に本発明の１実施例に過ぎず、その細部については、本発明の趣旨から逸脱することなく種々の自明な観点において変更することが可能である。従って、ここに記載した図面および記述は基本的に例示として考えられるべきものであり、本発明を限定するものとして捉えられるべきではない。
【発明を実施するための最良の形態】
【０００８】
以下の図面は、この明細書の一部を構成するものであり、本発明の原理を説明するため、本発明の幾つかの形態を発明の詳細な説明と共に説明するものである。
【０００９】
本発明によれば、公共又はコミュニティ・サービスの方法が提供される。この方法は大略的に、予想される災害を予期して緊急援助物資を保有する構造体のネットワークを設立すること、上記構造体に電子表示装置を備え付けること、実際の災害のときに、上記電子表示装置上に緊急メッセージを表示することを具備してなるものと定義づけることができる。この方法は更に、上記電子表示装置のための緊急電源を上記構造体に備え付けることを含む。この方法は更に、上記電子表示装置に対し、遠隔制御プログラミングを行うことを含む。これは、所望に応じて、人が上記電子表示装置上に黄色警告（Ａｍｂｅｒ  Ａｌｅｒｔ）又は他の公共サービスメッセージを表示することを許容するものとなる。
【００１０】
更に、この方法は、この電子表示装置上に広告することを含むものであってもよい。これは、人が広告表示からの収入を発生させることになる。所望により、その収入の幾分かを災害援助組織と分け合うものでもよい。
【００１１】
本発明の更なる形態として、このコミュニティ・サービスの方法は、予想される災害を予期して緊急援助物資を保有する構造体のネットワークを設立すること、上記構造体に無線通信機を備えさせること、および実際の災害のときに、上記無線通信機に緊急メッセージを送信することを具備してなる。この構造体は更に、上記無線通信機のための緊急電源を備えていてもよい。この方法は更に、上記無線通信機に対するプログラミングを遠隔制御することを含み、従って、人が上記無線通信機に公共サービスメッセージ、黄色警告（Ａｍｂｅｒ  Ａｌｅｒｔ）又は所望に応じて広告を送信することを含むものであってもよい。重要なことは、このメッセージ又は画像が、上記ネットワーク内の電子表示装置の任意のもの、又は全てのもので“実時間”で見ることができるようにプログミングすることができることである。そのため、本発明は非常に柔軟、且つ、効果的な公共サービスおよび広告媒体を提供するものとなる。
【００１２】
緊急援助物資提示及び/又は貯蔵構造体１０の１つの可能な構造体が図１−２に示されている。より具体的には、この構造体１０は、床部１２、２つの側壁１４、末端壁面１６および屋根１８を具備してなる。一対の協働する締付けドア２０が、第１の末端壁面１６の反対側の第２の末端壁面を画成している。意図する目的に有用な任意のタイプのドア２０を利用することができる。床部１２、側壁１４、末端壁面１６、屋根１８およびドア２０が一緒になって内部貯蔵空間２２を画成している。この空間２２は、緊急援助物資を貯蔵又は展示するため任意の特別の要求に応じてカスタム化することができる。この緊急援助物資の例としては、水、食料、乳幼児用ミルク、オムツ、救急箱、医薬、毛布、テント、ベッディング、ウォーキートーキー、人工衛星電話などの通信装置などが含まれる。
【００１３】
同様に、上記構造体１０の外部をカスタム化して、任意の所望とする団体の商業上装飾（ｔｒａｄｅ  ｄｒｅｓｓ）及び/又は該構造体１０が使用される場所に近い建物の建築上の特徴に適合するようカスタム化してもよい。すなわち、例えば、この構造体１０がユーザーの仕様に寸法、形状を適合させた装飾的屋根部２４を含むものであってもよい。この屋根部２４は、所望により、及び/又は地域の規則で認められるならば、広告、商業上装飾又はロゴ２６を含むものであってもよい。
【００１４】
この構造体１０は種々の電気的及び/又は機械的システムを備えるものであってもよい。例えば、貯蔵構造体１０内の貯蔵空間２２内の一部又は全体の内部環境制御を行うため、例えば、空調機、冷蔵庫、冷凍庫などの内部環境制御ユニット２８を貯蔵構造体１０内に設けるようにしてもよい。例えば、ビン詰め飲料水を空調又は冷蔵ユニット内に貯蔵しておいてもよい。冷凍庫を備えた構造体１０には氷を貯蔵しておいてもよい。
【００１５】
更に、貯蔵構造体１０は、ソーラーパネル３０および関連するバッテリー３２を備えていて、貯蔵構造体１０の貯蔵空間２２を照明するための内部照明システム３４に電気を供給するためのエネルギーを貯蔵するようにしてもよい。更に、この構造体１０は、内燃エンジン、天然ガス、プロパン又は燃料電池などにより稼動される発電機３１などの緊急用電源を備えたものとしてもよい。このような電源は、緊急メッセージを放送するために構造体に設けられた無線通信機３３、スピーカーシステムなどに電力を供給するために使用することができる。この緊急メッセージとしては、例えば、最も近いテント村又は緊急援助物資補給ステーションへの方向を指示するものが含まれる。
【００１６】
更に、貯蔵構造体１０は、例えば、米国特許Ｎｏ．６，２７９，２８７（Ｍｅａｄｏｗｓ）、同Ｎｏ．５，３７３，６７８（Ｈｅｓｓｅｒ）、同Ｎｏ．６，１１９，４２７（Ｗｙｍａｎら）に記載されているタイプのプレハブパネル４０のようなモジュール建築材料から製作することができる。このようなモジュールパネル４０は一般に、金属と、プラスチック外装材との挟持させた熱絶縁材からなるコア部が組み込まれている。このような構造体は、内部貯蔵用空間２２内の温度および湿度環境を効率的、且つ、効果的に制御することを可能にすると共に、長い低維持費使用寿命の間において過酷な天候下でのすぐれた耐久性を提供するものとなる。このようなモジュール建築パネル４０から作られた貯蔵構造体１０は更に、特徴として高強度のものであり、強い風に耐え、貯蔵用空間２２内に収容されている商品を過酷な天候から保護する耐侯性囲いを維持させるという特徴を備えたものとなる。実際に、このような構造体は、ナットおよびボルトアンカー４２の組合せを用い、ボルトを下地のコンクリートパッド４４内に固定するなどにより、地面に容易に係留させることができる。このような構造体は、所望により、カテゴリー３，４、あるいは５のような強いハリケーンに耐えるように特別に設計してもよい。このモジュールパネル４０は更に、貯蔵構造体１０を容易、且つ、迅速に建設させることを可能にし、後においても、散らかしを最小限にして短時間で除去することを可能にする。
【００１７】
本発明の好ましい実施例についての以上の記載は説明を目的とするものに過ぎず、ここに開示したそのものに本発明を限定することを意図したものではない。ここに開示したものに基づいて明らかな改良又は変形が当然可能であろう。例えば、ドア２０は末端壁面ではなく、側壁１６に設けてもよい。更に、所望により、２セット以上のドア２０を設けてよい。この構造体は更に、公共上水道に接続された蛇口を備えたものとしてもよい。更にこの構造体は、公共上水道および廃水ラインに接続された便所およびシャワーを備えたものでもよい。
【００１８】
これらの実施例は、本発明の原理およびその実際的用途を最もよく説明するために選択され、提供されたものであり、それにより、当業者は本発明を利用して特定の用途に適するように様々な態様および様々な改良を施すことができるであろう。そのような改良および変形は全て、公正的、法律的および均等論的に認められる範囲で解釈されるべき添付の特許請求の範囲により定められる範疇に包含されるものである。添付図面および好ましい実施例は、請求項の通常の意味するもの、およびその公正、且つ、広範な解釈を如何なる様式においても制限するものではないし、且つ、制限を意図するものでもない。
【図面の簡単な説明】
【００１９】
【図１】緊急援助物資表示及び/又は貯蔵構造体の斜視図。
【図２】開口した末端ドアを介して見たときの図１の構造体の模式的側面図。
【符号の説明】
【００２０】
１０    緊急援助物資提示及び/又は貯蔵構造体
１２    床部
１４    側壁
１６    末端壁面
１８    屋根
２０    締付けドア
２２    貯蔵空間
２３    棚
２４    屋根部
２６    ロゴ
２８    内部環境制御機等
２９    電気回路ボックス
３０    ソーラーパネル
３１    発電機
３２    バッテリー
３３    無線通信機
３４    内部照明システム
３６    広告
４０    モジュール建築パネル
４２    ボルトアンカー
４４    コンクリートパッド
【図１】
2009503688.tif 000003
【図２】
2009503688.tif 000004
【国際調査報告】
2009503688.tif 000005